【手続補正書】
【提出日】平成15年6月11日(2003.6.11)
【手続補正１】
【補正対象書類名】明細書
【補正対象項目名】特許請求の範囲
【補正方法】変更
【補正の内容】
【特許請求の範囲】
【請求項１】
扉を有するキャビネットから複数の製品を配る方法であって、
各製品に無線周波数識別タグを装着するステップと、
前記複数の製品を前記キャビネットの中に配置するステップと、
前記キャビネットの扉の開閉を検知するステップと、
前記キャビネットの扉の閉じを検知すると前記キャビネットの中の前記複数の製品を走査して、前記キャビネットの中の製品の数及び種類を決定するステップと、
メッセージを、前記キャビネットの中の製品の数及び種類に基づいて発生するステップと、
前記メッセージをサーバに送信するステップと、
前記サーバの中の在庫目録を前記メッセージに基づいて維持管理するステップと
を備える方法。
【請求項２】
ユーザ・バッジ上のコードを読み取るステップと、
前記ユーザ・バッジの読み取り済みを通知するステップと、
前記ユーザ・バッジから読み取られたコードの信憑性を決定するステップと、
前記ユーザ・バッジから読み取られたコードが真正である場合前記キャビネットを開けるステップと
を更に備える請求項１記載の方法。
【請求項３】
所定の時間後に前記キャビネットを閉めるステップを更に備える請求項２記載の方法。
【請求項４】
信憑性を決定する前記ステップが、前記サーバで行われる請求項２記載の方法。
【請求項５】
扉及びコントローラを有するマイクロウエアハウスから複数の製品を配る方法であって、
各製品に無線周波数識別タグを装着するステップと、
前記複数の製品を前記マイクロウエアハウスの中に配置するステップと、
前記扉の開閉を検知するステップと、
前記扉の閉じを検知すると前記マイクロウエアハウスの中の前記複数の製品を走査して、前記マイクロウエアハウスの中の製品の数及び種類を決定するステップと、
前記マイクロウエアハウスの中の製品の数及び種類に基づいて在庫目録の変化情報を発生するステップと、
前記マイクロウエアハウスの在庫目録を維持管理するステップと
を備える方法。
【請求項６】
前記ユーザ・バッジから読み取られたコードが真正である場合、出力装置を作動させるステップを更に備える請求項２記載の方法。
【請求項７】
前記キャビネットの温度を検知して当該温度を前記サーバに送信するステップを更に備える請求項１記載の方法。
【請求項８】
前記温度が所定のレベルに到達するまで前記キャビネットへのアクセスを拒否するステップを更に備える請求項７記載の方法。
【請求項９】
前記複数の製品のそれぞれが前記キャビネット内に在る時間を追跡するステップを更に備える請求項１記載の方法。
【請求項１０】
前記複数の製品のそれぞれが前記キャビネット内に在る時間を前記複数の製品のそれぞれに対する保存寿命と比較するステップを更に備える請求項９記載の方法。
【請求項１１】
製品の保存寿命より長い時間前記キャビネット内に在る各製品に対して製品の選択リストを生成するステップを更に備える請求項１０記載の方法。
【請求項１２】
前記キャビネット内の前記製品を走査して、前記製品のうちのいずれが回収状態を有するかを決定するステップを更に備える請求項１記載の方法。
【請求項１３】
前記メッセージが個々の製品の状態についての情報を含む請求項１記載の方法。
【請求項１４】
個々の製品の状態が、製品の種類、温度履歴、及び前記マイクロウエアハウス内に在る時間を含む請求項１３記載の方法。
【請求項１５】
前記サーバが自己更新ブートアップ手順を用い、
前記手順が、
最も新しいソフトウエア・バージョン番号を含むメッセージを受信するステップと、
現在用いられているソフトウエア・バージョン番号を最も新しいソフトウエア・バージョン番号と比較するステップと、
比較したときバージョンが異なっている場合最も新しいソフトウエア・バージョンをダウンロードするステップと、
前記のダウンロードされたソフトウエアをメモリに書き込むステップと、
前記ダウンロードされたソフトウエアをブートするステップと
を備える、請求項２記載の方法。
【請求項１６】
更新されたユーザ・リストを要求するステップと、
前記更新されたユーザ・リストを受信するステップと
を更に備える請求項１５記載の方法。
【請求項１７】
在庫目録情報がサーバに転送される請求項５記載の方法。
【請求項１８】
前記在庫目録が、前記キャビネットの扉の開きを検知する前に行われた前記複数の製品の走査から生成された第１のメッセージと、前記キャビネットの扉の閉じを検知した後で行われた前記複数の製品の走査から生成された第２のメッセージとに基づいて計算される請求項１記載の方法。
【請求項１９】
各製品が無線周波数タグを有する複数の製品を配るシステムであって、
コードを有する無線周波数ユーザ・バッジと、
少なくとも１つのマイクロウエアハウスと、を備え、
前記マイクロウエアハウスが、
出力装置と、
近接センサを備える扉と、
前記マイクロウエアハウス上に取り付けられたアンテナと、
前記近接センサ及び前記アンテナに結合されたコントローラと、を備え、
前記コントローラが、前記コードを受け取り、前記ユーザ・バッジ上のコードを受け取った後で前記出力装置を作動させ、前記複数の製品を走査して各前記製品の識別を決定し、且つ各前記製品の識別を含むメッセージを生成するよう動作可能であり、
前記システムが、前記コントローラに結合され、前記メッセージを受信するサーバを更に備える、システム。
【請求項２０】
前記マイクロウエアハウス内に取り付けられ且つ前記コントローラに結合された温度センサを更に備える請求項１９記載のシステム。
【請求項２１】
前記システムが、複数のマイクロウエアハウスを含み、
前記サーバが、マイクロウエアハウスのデータベースを含む
請求項１９記載のシステム。
【請求項２２】
前記サーバが、登録モジュールを含む請求項１９記載のシステム。
【請求項２３】
前記サーバが、発注履歴モジュールを含む請求項１９記載のシステム。
【請求項２４】
前記サーバが、口座管理モジュールを含む請求項１９記載のシステム。
【請求項２５】
前記サーバが、在庫要求モジュールを含む請求項１９記載のシステム。
【請求項２６】
前記コントローラが、自己更新ブートアップ手順を用い、
前記手順が、
ソフトウエア・バージョン番号を含むメッセージを前記サーバから受信することと、
現在用いられている前記ソフトウエア・バージョン番号を最も新しいソフトウエア・バージョン番号と比較することと、
比較したとき前記バージョンが異なっている場合最も新しいソフトウエア・バージョンをダウンロードすることと、
前記のダウンロードされたソフトウエアをメモリに書き込むことと、
前記のダウンロードされたソフトウエアをブートすることとを備える、請求項１９記載のシステム。
【請求項２７】
前記手順が、
更新されたユーザ・リストを要求することと、
更新されたユーザ・リストを受信することと
を更に備える請求項２６記載のシステム。
【請求項２８】
コンピュータへの手動入力を必要としないで、定義された範囲から複数の製品を配る方法であって、
各製品に識別タグを装着するステップと、
前記複数の製品を前記定義された範囲の中に配置するステップと、
前記定義された範囲内の前記複数の製品を走査して、前記定義された範囲内の製品の数及び種類を決定するステップと、
メッセージを、前記定義された範囲内の製品の数及び種類に基づいて発生するステップと、
前記メッセージをサーバに送信するステップと、
前記サーバの中の在庫目録を前記メッセージに基づいて維持管理するステップと
を備える方法。
【請求項２９】
ユーザ・バッジ上のコードを読み取るステップと、
前記ユーザ・バッジの読み取り済みを通知するステップと、
前記ユーザ・バッジから読み取られたコードの信憑性を決定するステップと、
前記ユーザ・バッジから読み取られたコードが真正である場合前記定義された範囲へのアクセスを与えるステップと
を更に備える請求項２８記載の方法。
【請求項３０】
前記定義された範囲へのアクセスを与える前記ステップが、所定時間の間アクセスを与えるステップを含む請求項２９記載の方法。
【請求項３１】
信憑性を決定する前記ステップが、前記サーバで行われる請求項２９記載の方法。
【請求項３２】
前記ユーザ・バッジから読み取られたコードが真正である場合、出力装置を作動させるステップを更に備える請求項３０記載の方法。
【請求項３３】
前記在庫目録が、前記複数の製品の第１の走査から生成された第１のメッセージと、前記複数の製品の第２の走査から生成された第２のメッセージとに基づいて計算される請求項２８記載の方法。
【請求項３４】
ある範囲から複数の製品を配る方法であって、
各製品に無線周波数識別タグを装着するステップと、
前記複数の製品を前記範囲の中に配置するステップと、
前記範囲からの出入りを検知するステップと、
前記範囲からの出を検知すると前記範囲の中の前記複数の製品を走査して、前記範囲の中の製品の数及び種類を決定するステップと、
前記範囲の中の複数の製品の走査に基づいて在庫目録の変化情報を発生するステップと、
前記在庫目録の変化情報に基づく情報をプロセッサに転送するステップと
を備える方法。
【請求項３５】
ユーザ・バッジ上のコードを読み取るステップと、
前記ユーザ・バッジの読み取り済みを通知するステップと、
前記ユーザ・バッジから読み取られたコードの信憑性を決定するステップと、
前記ユーザ・バッジから読み取られたコードが真正である場合前記範囲へのアクセスを許可するステップと
を更に備える請求項３４記載の方法。
【請求項３６】
前記複数の製品のそれぞれが前記範囲内に在る時間を追跡するステップを更に備える請求項３４記載の方法。
【請求項３７】
前記複数の製品のそれぞれが前記範囲内に在る時間を前記複数の製品のそれぞれに対する保存寿命と比較するステップを更に備える請求項３６記載の方法。
【請求項３８】
製品の保存寿命より長い時間前記範囲内に在る各製品に対して製品の選択リストを生成するステップを更に備える請求項３７記載の方法。
【請求項３９】
前記範囲内の前記製品を走査して、前記製品のうちのいずれが回収状態を有するかを決定するステップを更に備える請求項３４記載の方法。
【請求項４０】
前記の在庫目録の変化情報に基づく情報が個々の製品の状態を含む請求項３４記載の方法。
【請求項４１】
個々の製品の状態が、製品の種類、温度履歴、及び前記マイクロウエアハウス内に在る時間を含む請求項４０記載の方法。
【請求項４２】
各製品が無線周波数タグを有する複数の製品を配るシステムであって、
コードを有するユーザ・バッジと、
少なくとも１つのマイクロウエアハウスと、を備え、
前記マイクロウエアハウスが、
出力装置と、
前記マイクロウエアハウスへのアクセスを検知するセンサと、
前記マイクロウエアハウスに取り付けられたアンテナと、
前記センサ及び前記アンテナに結合されたコントローラと、を備え、
前記コントローラが、前記コードを受け取り、前記ユーザ・バッジ上のコードを受け取った後で前記出力装置を作動させ、前記複数の製品を走査し、且つ前記製品についての在庫目録情報を生成するよう動作可能であり、
前記システムが、前記在庫目録情報に基づく情報が転送される前記コントローラに結合されたコンピュータを更に備える、システム。
【請求項４３】
前記マイクロウエアハウス内に取り付けられ且つ前記コントローラに結合された温度センサを更に備える請求項４２記載のシステム。
【請求項４４】
前記システムが、複数のマイクロウエアハウスを含み、
前記コンピュータが、マイクロウエアハウスのデータベースを含む
請求項４２記載のシステム。
【請求項４５】
前記コンピュータが、登録モジュールを含む請求項４２記載のシステム。
【請求項４６】
前記コンピュータが、発注履歴モジュールを含む請求項４２記載のシステム。
【請求項４７】
前記コンピュータが、口座管理モジュールを含む請求項４２記載のシステム。
【請求項４８】
前記コンピュータが、在庫要求モジュールを含む請求項４２記載のシステム。
【請求項４９】
前記コントローラが、自己更新ブートアップ手順を用い、
前記手順が、
ソフトウエア・バージョン番号を含むメッセージを前記コンピュータから受信することと、
現在用いられている前記ソフトウエア・バージョン番号を最も新しいソフトウエア・バージョン番号と比較することと、
比較したとき前記バージョンが異なっている場合最も新しいソフトウエア・バージョンをダウンロードすることと、
前記のダウンロードされたソフトウエアをメモリに書き込むことと、
前記のダウンロードされたソフトウエアをブートすることとを備える、請求項４２記載のシステム。
【請求項５０】
コンピュータへの手動入力を必要としないで、定義された範囲から複数の製品を配る方法であって、
前記複数の製品のそれぞれに識別タグを装着するステップと、
前記複数の製品を前記定義された範囲の中に配置するステップと、
第１の時間に前記定義された範囲の中の前記複数の製品を走査して、第１の在庫目録を決定するステップと、
第１の時間の後の第２の時間に前記定義された範囲の中の前記複数の製品を走査して、第２の在庫目録を決定するステップと、
第１の在庫目録及び第２の在庫目録に基づいて在庫目録の変化情報を発生するステップと、
前記在庫目録の変化情報に基づく情報を、前記定義された範囲から遠隔に位置するコンピュータに転送するステップと
を備える方法。
【請求項５１】
ユーザ・バッジ上のコードを読み取るステップと、
前記ユーザ・バッジの読み取り済みを通知するステップと、
前記ユーザ・バッジから読み取られたコードの信憑性を決定するステップと、
前記ユーザ・バッジから読み取られたコードが真正である場合前記定義された範囲へのアクセスを与えるステップと
を更に備える請求項５０記載の方法。
【請求項５２】
各製品が無線周波数タグを有する、複数の製品を配り且つ前記複数の製品を収容するシステムに使用のマイクロウエアハウスであって、
コードを有するユーザ・バッジを読み取るリーダと、
出力装置と、
前記マイクロウエアハウスに取り付けられたアンテナと、
前記アンテナ及び前記リーダに結合されたコントローラと、を備え、
前記コントローラが、前記コードを受け取り、前記ユーザ・バッジ上のコードを受け取った後で前記出力装置を作動させ、前記アンテナを動作させて前記複数の製品を複数回走査し、且つ前記製品についての在庫目録情報を生成するよう動作可能である、マイクロウエアハウス。
【手続補正２】
【補正対象書類名】明細書
【補正対象項目名】０００４
【補正方法】変更
【補正の内容】
【０００４】
本発明は、必要なことはユーザが関心の製品を見つけるだけで、その製品を取得するシステム及び方法を提供する。大部分のインターネット・ベースのシステム及び方法と比べて、本発明は「クリックレス」である。換言すると、本発明は、ユーザからの手動入力が殆ど無いかそれを全く必要としない。本発明は、複数の製品を配るシステムを提供する。各製品は、無線周波数（「ＲＦ」）タグを有する。本明細書で用いられるように、無線周波数は、電磁スペクトルの可聴周波数部分の周波数と電磁スペクトルの赤外線部分の周波数との間である周波数を有する電磁放射を意味する。各タグは、固有の識別コードを用いて符号化される。一実施形態において、システムは、識別コード付きの無線周波数ユーザ・バッジを所有する個人がアクセスするよう設計されている。代替として、システムは、磁気スワイプ・カード（ｍａｇｅｎｔｉｃ  ｓｗｉｐｅ  ｃａｒｄｓ）、パスワード・システム、生物測定装置（例えば、網膜スキャナ、指紋リーダ、音声識別装置等のようなもの）、又は許可された個人にアクセスを制限する他のシステムに依拠することができるであろう。